(57)【特許請求の範囲】
【請求項１】
内視鏡の処置具挿通チャンネルに挿脱される可撓性シースの基端に筒状本体が取り付けられ、上記シース内に軸線方向に進退自在に全長にわたって挿通された可撓性針軸の基端に取り付けられた針元口金が、上記筒状本体に軸線方向に進退自在に嵌挿されたスライド操作筒に取り付けられた内視鏡用穿刺具において、
上記スライド操作筒に対して係脱自在に連結されるキャップ状の連結環と上記針元口金とが一体に結合され、
上記連結環が上記スライド操作筒に連結された状態においては、上記連結環側に軸線と平行に形成された直線溝に上記スライド操作筒側に突設された突出ピンが係合することにより、上記連結環が上記スライド操作筒に対し回転しないように連結され、
上記連結環を上記スライド操作筒から外すことにより、上記針元口金と上記可撓性針軸とを一体的に上記スライド操作筒から分離することができるようにしたことを特徴とする内視鏡用穿刺具。
【請求項２】
上記筒状本体から上記スライド操作筒が抜け出すのを規制するためのストッパが設けられている請求項１記載の内視鏡用穿刺具。
【請求項３】
上記連結環を上記スライド操作筒に対して弾力的に係合させるためのクリック機構が設けられている請求項１又は２記載の内視鏡用穿刺具。
【発明の詳細な説明】
【０００１】
【発明の属する技術分野】
この発明は、内視鏡の処置具挿通チャンネルに挿脱されて体腔内に薬液注射等を行うために用いられる内視鏡用穿刺具に関する。
【０００２】
【従来の技術】
図５は従来の内視鏡用穿刺具を示しており、内視鏡の処置具挿通チャンネルに挿脱される可撓性のシース９１の基端に筒状本体９２が連結されている。なお、図の下半部は外観を示し、上半部は断面を示している。
【０００３】
シース９１内には、先端に針先９３ａが連結された可撓性針軸９３が軸線方向に進退自在に全長にわたって挿通されており、その可撓性針軸９３の基端に取り付けられた針元口金９５が、筒状本体９２に軸線方向に進退自在に嵌挿されたスライド操作筒９４に取り付けられている。
【０００４】
したがって、スライド操作筒９４を筒状本体９２に対して軸線方向にスライド操作することにより、可撓性針軸９３の先端に連結された針先９３ａをシース９１の先端から出入りさせることができる。
【０００５】
９６と９７は、針先９３ａがシース９１の先端から突出した状態でスライド操作筒９４を筒状本体９２に弾力的に固定するためのクリック用のＯリングと係合溝である。
【０００６】
【発明が解決しようとする課題】
内視鏡用穿刺具は、可撓性針軸９３が座屈したり針先９３ａが折れ曲がったりして、交換しなければならなくなる場合が少なくない。
【０００７】
すると、上述のような従来の内視鏡用穿刺具においては、可撓性針軸９３の基端に取り付けられた針元口金９５がスライド操作筒９４に固着されていて、可撓性針軸９３とスライド操作筒９４とが一体的に構成されているので、可撓性針軸９３を交換する際にスライド操作筒９４も一緒に交換しなければならず、廃棄部分のコスト比率が高くて経済性が悪かった。
【０００８】
また、使用中に可撓性針軸９３を引き抜く方向にスライド操作筒９４を操作したときに、少し力が入り過ぎていると、勢いでスライド操作筒９４が筒状本体９２から一気に抜けてしまって、可撓性針軸９３を座屈させ易い構造になっていた。
【０００９】
そこで本発明は、可撓性針軸の交換を低コストで行うことができる内視鏡用穿刺具を提供することを目的とする。
【００１０】
【課題を解決するための手段】
上記の目的を達成するため、本発明の内視鏡用穿刺具は、内視鏡の処置具挿通チャンネルに挿脱される可撓性シースの基端に筒状本体が取り付けられ、上記シース内に軸線方向に進退自在に全長にわたって挿通された可撓性針軸の基端に取り付けられた針元口金が、上記筒状本体に軸線方向に進退自在に嵌挿されたスライド操作筒に取り付けられた内視鏡用穿刺具において、上記針元口金部分を上記スライド操作筒に対して係脱自在に連結し、上記針元口金と上記可撓性針軸とを一体的に上記スライド操作筒から分離できるようにしたことを特徴とする。
【００１１】
なお、上記筒状本体から上記スライド操作筒が抜け出すのを規制するためのストッパが設けられていてもよい。
また、上記針元口金を上記スライド操作筒に対して弾力的に係合させるためのクリック機構が設けられていてもよく、上記スライド操作筒に対して上記針元口金が軸線周りに回転するのを阻止するための回転止めが設けられていてもよい。
【００１２】
【発明の実施の形態】
図面を参照して本発明の実施の形態を説明する。
図３及び図４は本発明の実施の形態の内視鏡用穿刺具を示しており、図３はシース１の先端から針先３ａが突出した状態を示し、図４はシース１の先端内に針先３ａが引っ込められた状態を示している。
【００１３】
内視鏡の処置具挿通チャンネルに挿脱される可撓性のシース１は、腰の強さを確保するために密着巻きのコイルパイプが用いられており、シース１の太さを極力細くするために、ここでは偏平に潰された断面形状の素線を密着巻きしたものが用いられている。
【００１４】
シース１の基端には、指先等で保持される筒状本体２が連結されている。２ａは、筒状本体２内に嵌挿されて図示されていないネジにより固定された連結筒であり、シース１の基端が圧入、半田付け又は銀ロー付け等によって固着されている。また、図示されていない折れ止め用密巻きコイルが、シース１の基端側を挿通する形態で、連結筒２ａの先端側に圧入固着されている。
【００１５】
筒状本体２の手元側端部には、口元リング２ｂが螺合連結されている。この口元リング２ｂは、指先が引っ掛かるように筒状本体２より太い外径に形成されると共に、次に説明するスライド操作筒４が引き抜かれるのを阻止するストッパとしても機能するように、筒状本体２より細い内径に形成されている。
【００１６】
筒状本体２内には、スライド操作筒４が軸線方向に進退自在に嵌挿されている。スライド操作筒４は、先端部分付近が筒状本体２の内周面に嵌合する外径に形成され、その他の部分はそれより細く、口元リング２ｂの内周面に嵌合する外径に形成されている。
【００１７】
したがって、スライド操作筒４を筒状本体２内から引き出す方向にスライド操作すると、スライド操作筒４の先端近傍の段部が口元リング２ｂの裏面に当接し、それ以上スライド操作筒４を引き抜けない状態になる。ただし、口元リング２ｂと筒状本体２との螺合を解けば、スライド操作筒４を筒状本体２内から引き出すことができる。
【００１８】
シース１内には、先端に硬質の針先３ａが圧入連結され、基端に硬質の基部パイプ３ｂが圧入連結された、例えば四フッ化エチレン樹脂製の可撓性チューブからなる可撓性針軸３が軸線方向に進退自在に全長にわたって挿通されている。なお、針先３ａと基部パイプ３ｂは各々可撓性針軸３と一体に成形してもよい。以下、基部パイプ３ｂは可撓性針軸３に含めて説明をする。
【００１９】
可撓性針軸３の基端は筒状本体２内からスライド操作筒４内を通過して、スライド操作筒４の手元側から出た位置に針元口金５が接合固着されており、針元口金５に注射筒（図示せず）を接続することにより、薬液等を可撓性針軸３に送り込んで針先３ａから送り出すことができる。
【００２０】
針元口金５は、キャップ状に形成された連結環６の軸線位置に螺合接着により一体に結合されている。その結果、可撓性針軸３の基端に針元口金５と連結環６とが一体的に連結されたユニットになっている。
【００２１】
スライド操作筒４の手元側端部に螺合、接着により一体に連結された基端口金４ａは、連結環６内に入り込む状態に連結環６と係合する。その係合の際に、基端口金４ａに突設された突出ピン７が、連結環６に軸線と平行方向に形成された直線溝８と係合するので、連結環６は基端口金４ａに対して（したがって、スライド操作筒４に対して）回転しない。
【００２２】
連結環６の内周面には第１のクリック溝９が形成されていて、基端口金４ａとスライド操作筒４との間に挟着された第１のＣリング１０がそこに係合することにより、いわゆるクリック固定が行われる。
【００２３】
したがって、そのクリック固定が行われている状態においては、針元口金５や可撓性針軸３がスライド操作筒４と一体的になっており、スライド操作筒４を筒状本体２に対して軸線方向にスライド操作することにより、図３及び図４に示されるように、可撓性針軸３の針先３ａをシース１の先端から出入りさせることができる。
【００２４】
またスライド操作筒４の先端外周部に装着されたＯリング１１が、筒状本体２内面に摺接しており、筒状本体２の後端側には、針先３ａがシース１内に収納された状態のときにＯリング１１と係合する第２のクリック溝１３が形成されている。
【００２５】
これらによって、操作者が筒状本体２を把持して動かしても、スライド操作筒４は容易にはスライド移動しない。従ってシース１先端から針先３ａが不用意に飛び出すこともない。
【００２６】
口元リング２ｂの内周面には、第３のクリック溝１４が形成されており、針先３ａがシース１の先端から突出した状態のとき、スライド操作筒４の手元側端部近傍の外面に装着されている第２のＣリング１２がそこに係合することにより、クリック固定が行われる。
【００２７】
なお、そのときは、シース１の先端に取り付けられている先端口金１ａの裏面に、可撓性針軸３の先端が当接して、シース１内で可撓性針軸３が圧縮されて撓んだ状態になる。
【００２８】
また、針先３ａがシース１内に収納された状態のときは、スライド操作筒４の先端の外面に装着されたＯリング１１が第２のクリック溝１３に係合して、軽いクリック係止が行われる。
【００２９】
このように構成された内視鏡用穿刺具は、可撓性針軸３の座屈や針先３ａの折れ曲がり等が発生したら、図１に示されるように、連結環６を手元側に強く引っ張ってスライド操作筒４との係合を外す。
【００３０】
それによって、可撓性針軸３がシース１内から引き出され、図２に示されるように、連結環６とユニットになっている針元口金５及び可撓性針軸３を、筒状本体２及びスライド操作筒４から取り外して交換することができる。
【００３１】
また、連結環６がスライド操作筒４に係合した状態では、両者間の相対的回転が規制されて安定した状態にセットされ、使用中に可撓性針軸３を引き抜く方向にスライド操作筒４を操作したときには、スライド操作筒４が筒状本体２から抜け出さないので、誤って可撓性針軸３を座屈させてしまうような状態が発生しない。
【００３２】
【発明の効果】
本発明によれば、針元口金部分をスライド操作筒に対して係脱自在に連結し、針元口金と可撓性針軸とを一体的にスライド操作筒から分離できるようにしたことにより、可撓性針軸の交換の際にスライド操作筒を交換する必要がないので、低コストで可撓性針軸交換を行うことができる。
【００３３】
また、スライド操作筒が筒状本体から抜け出すのを規制するためのストッパを設けることにより、使用中にスライド操作筒が筒状本体から抜け出さないので、誤って可撓性針軸を座屈させてしまうようなケースを減少させることができる。
【図面の簡単な説明】
【図１】本発明の実施の形態の内視鏡用穿刺具の可撓性針軸を取り外す際の手元側部分の側面半断面図である。
【図２】本発明の実施の形態の内視鏡用穿刺具の可撓性針軸とシースとが分離された状態の側面図である。
【図３】本発明の実施の形態の内視鏡用穿刺具の針先が突出した状態の側面断面図である。
【図４】本発明の実施の形態の内視鏡用穿刺具の針先が引っ込んだ状態の側面断面図である。
【図５】従来の内視鏡用穿刺具の側面半断面図である。
【符号の説明】
１  シース
２  筒状本体
２ｂ  口元リング（ストッパ）
３  可撓性針軸
３ａ  針先
４  スライド操作筒
５  針元口金
６  連結環
９  第１のクリック溝
１０  第１のＣリング
【図１】
0004297454.tif 000002
【図２】
0004297454.tif 000003
【図３】
0004297454.tif 000004
【図４】
0004297454.tif 000005
【図５】
0004297454.tif 000006